(57)【要約】【課題】パネルの輝度アップと低消費電力化とを両立することができる電気光学装置及び電気機器を提供する。【解決手段】全画面表示モードでは、３色画像信号を４色画像信号に変換した画像信号を画素に供給し、部分表示モードの表示領域では、３色画像信号を画素に供給する。また、全画面表示モードにおいて、ライン反転駆動方式で画素３７を駆動するものとし、水平ブランキング期間中にデータ線３４と対向電極４０とを短絡させ、部分表示モードにおいて、フレーム反転駆動方式で画素３７を駆動するものとし、垂直ブランキング期間中にデータ線３４と対向電極４０とを短絡させる。【選択図】図２
2008129230.tif 000002
【特許請求の範囲】
【請求項１】
複数の走査線と複数のデータ線との交差に対応して設けられた画素電極と、当該画素電
極として対向して設けられた対向電極とで画素を構成し、当該画素が少なくとも４色以上
の着色領域を有するカラーフィルタを有する表示パネルと、
前記カラーフィルタの前記着色領域の色よりも少ない色の情報を有する第１の色画像信
号が入力され、該第１の色画像信号を前記カラーフィルタに対応した第２の色画像信号に
変換して出力する画像処理回路と、
前記表示パネルの全画面を表示領域とする全画面表示モードにおいて、前記第２の色画
像信号を前記画素に対して前記データ線を介して供給し、前記全画面における一部の領域
を表示領域とし、他の領域を非表示領域とする部分表示モードにおいて、前記画像処理回
路の駆動を停止して、前記第１の色画像信号を前記画素に対して前記データ線を介して供
給することで、前記表示領域内の前記画素を駆動する駆動回路と、を備え、
前記駆動回路は、周期的に極性反転させた画像信号を前記画素に対して供給することで
当該画素を駆動するものであって、前記極性反転する直前のブランキング期間中に、前記
データ線と前記対向電極とを短絡させることを特徴とする電気光学装置。
【請求項２】
前記駆動回路は、前記全画面表示モードにおいて、ライン反転駆動方式で前記画素を駆
動し、水平ブランキング期間中に前記データ線と前記対向電極とを短絡させ、前記部分表
示モードにおいて、フレーム反転駆動方式で前記画素を駆動し、垂直ブランキング期間中
に前記データ線と前記対向電極とを短絡させることを特徴とする請求項１に記載の電気光
学装置。
【請求項３】
前記駆動回路は、１走査期間において、所定本数のデータ線を順次に選択することによ
り、画像信号を前記所定本数のデータ線に時分割して供給する選択回路を備えることを特
徴とする請求項１又は２に記載の電気光学装置。
【請求項４】
前記選択回路は、前記全画面表示モードにおいて、前記画像処理回路で変換された第２
の色画像信号のうち、第１の色画像信号に対応するデータ線を先に選択することを特徴と
する請求項３に記載の電気光学装置。
【請求項５】
前記駆動回路は、前記部分表示モードにおいて、前記非表示領域の前記画素の選択期間
に、前記データ線と前記対向電極とを短絡させることを特徴とする請求項１乃至４の何れ
か１項に記載の電気光学装置。
【請求項６】
前記第１の色画像信号は、赤系、緑系、青系の３色画像信号であり、
前記第２の色画像信号は、少なくとも赤系、緑系、青系、白系の４色画像信号を含む多
色画像信号であることを特徴とする請求項１乃至５の何れか１項に記載の電気光学装置。
【請求項７】
複数の走査線と複数のデータ線との交差に対応して設けられた画素電極と、当該画素電
極に対向して設けられた対向電極と、を有する電気光学装置において、
全画面を表示領域とする全画面表示モードと、前記全画面における一部の領域を表示領
域とし、他の領域を非表示領域とする部分表示モードと、を有し、
前記全画面表示モードにおいて、１水平走査周期で極性反転させた画像信号を前記デー
タ線に供給するとともに、前記部分表示モードにおいて、１垂直走査周期で極性反転させ
た画像信号を前記データ線に供給する駆動回路と、
前記全画面表示モードにおいて、前記画像信号が供給される直前の水平ブランキング期
間中に前記データ線と前記対向電極とを接続させるとともに、前記部分表示モードにおい
て、前記画像信号が供給される直前の垂直ブランキング期間中に前記データ線と前記対向
電極とを接続させるスイッチング素子と、
を備えることを特徴とする電気光学装置。
【請求項８】
前記請求項１乃至７の何れか１項に記載の電気光学装置を備える電気機器。
【発明の詳細な説明】
【技術分野】
【０００１】
本発明は、例えば、液晶などの電気光学物質を用いた電気光学装置、及びこの電気光学
装置を有する電気機器に関する。
【背景技術】
【０００２】
画像を表示する液晶表示装置などの電気光学装置では、カラー表示を可能とするために
、カラーフィルタが設けられている。従来、カラーフィルタとしては、色の３原色に対応
したＲ（赤）、Ｇ（緑）、Ｂ（青）の３色が多用されていたが、近年では、電気光学装置
の輝度を向上させることを目的として、多色（４色以上）のカラーフィルタが採用される
傾向にある。
【０００３】
このような多色のカラーフィルタを採用した電気光学装置として、３色映像データをＲ
、Ｇ、Ｂ及びＷ（白色）の４色映像データに変換し、現在映像データと直前映像データと
の差によって３色映像データと４色映像データとの中から一つを選択してデータ駆動部に
供給するというものが知られている（例えば、特許文献１参照）。
また、３色映像信号が入力される入力部、前記入力３色映像信号の最大階調が出力４色
映像信号の最大階調になるように、３色映像信号を４色映像信号に変換する映像信号補正
部、及び前記４色映像信号を出力する出力部を含み、複数の４色の画素を有する表示装置
の駆動装置が知られている（例えば、特許文献２参照）。
【特許文献１】特開２００４−１０２２９２号公報
【特許文献２】特開２００５−３０９４３６号公報
【発明の開示】
【発明が解決しようとする課題】
【０００４】
しかしながら、上記各特許文献に記載の電気光学装置にあっては、多色のカラーフィル
タを採用してパネルの輝度を向上させることはできるものの、低消費電力化を図る駆動方
法については何ら開示されていない。
そこで、本発明は、パネルの輝度アップと低消費電力化とを両立することができる電気
光学装置及び電気機器を提供することを課題としている。
【課題を解決するための手段】
【０００５】
上記課題を解決するために、第１の発明に係る電気光学装置は、複数の走査線と複数の
データ線との交差に対応して設けられた画素電極と、当該画素電極として対向して設けら
れた対向電極とで画素を構成し、当該画素が少なくとも４色以上の着色領域を有するカラ
ーフィルタを有する表示パネルと、
前記カラーフィルタの前記着色領域の色よりも少ない色の情報を有する第１の色画像信
号が入力され、該第１の色画像信号を前記カラーフィルタに対応した第２の色画像信号に
変換して出力する画像処理回路と、
前記表示パネルの全画面を表示領域とする全画面表示モードにおいて、前記第２の色画
像信号を前記画素に対して前記データ線を介して供給し、前記全画面における一部の領域
を表示領域とし、他の領域を非表示領域とする部分表示モードにおいて、前記画像処理回
路の駆動を停止して、前記第１の色画像信号を前記画素に対して前記データ線を介して供
給することで、前記表示領域内の前記画素を駆動する駆動回路と、を備え、
前記駆動回路は、周期的に極性反転させた画像信号を前記画素に対して供給することで
当該画素を駆動するものであって、前記極性反転する直前のブランキング期間中に、前記
データ線と前記対向電極とを短絡させることを特徴としている。
【０００６】
これにより、全画面表示モードでは、第２の色画像信号を各画素に対して供給すること
で、４色以上の着色領域を有するカラーフィルタを用いて、輝度の高い画像を表示するこ
とができると共に、部分表示モードでは、表示領域の画素のみを駆動すると共に、画像処
理回路の駆動を停止して第１の色画像信号を各画素に対して供給することで、低消費電力
化を実現することができる。
【０００７】
また、画素電極に印加する電圧の極性が反転する直前のブランキング期間中に、データ
線と対向電極とを短絡させるので、データ線と対向電極とを等電位として、前記画素電極
に対する補助書込みを行うことができる。
また、第２の発明は、第１の発明において、前記駆動回路は、前記全画面表示モードに
おいて、ライン反転駆動方式で前記画素を駆動し、水平ブランキング期間中に前記データ
線と前記対向電極とを短絡させ、前記部分表示モードにおいて、フレーム反転駆動方式で
前記画素を駆動し、垂直ブランキング期間中に前記データ線と前記対向電極とを短絡させ
ることを特徴としている。
【０００８】
これにより、全画面表示モードでは、正極性書込と負極性書込とが切り替わる１水平走
査ごとの水平ブランキング期間中にデータ線と対向電極とが短絡されて、前記データ線と
前記対向電極とが等電位となり、部分表示モードでは、正極性書込と負極性書込とが切り
替わる１フレームごとの垂直ブランキング期間中にデータ線と対向電極とが短絡されて、
前記データ線と前記対向電極とが等電位となる。したがって、極性が反転する前にデータ
線と対向電極とを等電位として効果的に補助書込みを行うことができる。また、部分表示
モードにおいてフレーム反転駆動方式を採用することで、より低消費電力化を実現するこ
とができる。
【０００９】
また、第３の発明は、第１又は第２の発明において、前記駆動回路は、１走査期間にお
いて、所定本数のデータ線を順次に選択することにより、画像信号を前記所定本数のデー
タ線に時分割して供給する選択回路を備えることを特徴としている。
これにより、駆動回路に設けるＤＡＣ（デジタル／アナログ変換器）や増幅回路の数を
減らすことができるので、消費電力を低減することができると共に回路規模を小さくする
ことができる。
【００１０】
さらにまた、第４の発明は、第３の発明において、前記選択回路は、前記全画面表示モ
ードにおいて、前記画像処理回路で変換された第２の色画像信号のうち、第１の色画像信
号に対応するデータ線を先に選択することを特徴としている。
これにより、全画面表示モードにおいて、色再現性を確保することができる。
さらに、第５の発明は、第１乃至第４の発明の何れか１つにおいて、前記駆動回路は、
前記部分表示モードにおいて、前記非表示領域の前記画素の選択期間に、前記データ線と
前記対向電極とを短絡させることを特徴としている。
【００１１】
これにより、非表示領域のデータ線と対向電極とを等電位として、表示を行わない非表
示領域の画素における消費電力を抑えることができ、より低消費電力化を図ることができ
る。
また、第６の発明は、第１乃至第５の発明の何れか１つにおいて、前記第１の色画像信
号は、赤系、緑系、青系の３色画像信号であり、
前記第２の色画像信号は、少なくとも赤系、緑系、青系、白系の４色画像信号を含む多
色画像信号であることを特徴としている。
【００１２】
これにより、確実にパネルの輝度アップを実現することができる。
さらにまた、第７の発明に係る電気光学装置は、複数の走査線と複数のデータ線との交
差に対応して設けられた画素電極と、当該画素電極に対向して設けられた対向電極と、を
有する電気光学装置において、
全画面を表示領域とする全画面表示モードと、前記全画面における一部の領域を表示領
域とし、他の領域を非表示領域とする部分表示モードと、を有し、
前記全画面表示モードにおいて、１水平走査周期で極性反転させた画像信号を前記デー
タ線に供給するとともに、前記部分表示モードにおいて、１垂直走査周期で極性反転させ
た画像信号を前記データ線に供給する駆動回路と、
前記全画面表示モードにおいて、前記画像信号が供給される直前の水平ブランキング期
間中に前記データ線と前記対向電極とを接続させるとともに、前記部分表示モードにおい
て、前記画像信号が供給される直前の垂直ブランキング期間中に前記データ線と前記対向
電極とを接続させるスイッチング素子と、
を備えることを特徴としている。
【００１３】
これにより、全画面表示モードでは１水平走査周期で極性反転させた画像信号をデータ
線に供給し、部分表示モードでは１垂直走査周期で極性反転させた画像信号をデータ線に
供給するので、低消費電力化を図ることができる。また、画像信号が供給される直前にデ
ータ線と対向電極とを接続するので、データ線と対向電極とを等電位とする補助書込みを
効果的に行うことができる。
【００１４】
さらに、第８の発明の電気機器は、第１乃至第７の発明の何れか１つの電気光学装置を
備えることを特徴としている。
これにより、パネルの輝度アップを実現しつつ、且つ低消費電力化を実現した電気機器
とすることができる。
【発明を実施するための最良の形態】
【００１５】
以下、本発明の実施の形態を図面に基づいて説明する。
図１は、本実施形態の電気光学装置の斜視図である。
図１（ａ）に示すように、本実施形態の電気光学装置１００は、ガラス、石英又は樹脂
等で構成された一対の基板であるＴＦＴアレイ基板２と対向基板３との間に電気光学物質
である液晶を挟持して構成される表示パネルを具備して構成される。電気光学装置１００
は、外部装置から入力された画像信号に基づいて画像表示領域４にカラー画像を表示する
。
【００１６】
なお、以下の説明では、便宜上、本実施形態の電気光学装置１００を、透過型のＴＦＴ
アクティブマトリクス駆動方式の液晶表示パネルとして説明する。また、本実施形態の電
気光学装置１００は、縦（図中Ｘ方向）２４０画素、横（図中Ｙ方向）１８０画素の行列
上に配列された画素で構成される画像表示領域４を有するマトリクス型表示装置として説
明する。
【００１７】
電気光学装置１００のＴＦＴアレイ基板２上には、フレキシブル配線基板（以下、ＦＰ
Ｃ（Flexible Printed Circuit）と称する）である外部接続ＦＰＣ５が接続されている。
ＦＰＣ５の一端は電気光学装置１００の外部接続端子上に接続されており、他端は、電気
光学装置１００を制御するための外部装置である図示しないＬＣＤコントローラ１１に接
続される。
【００１８】
また、本実施形態の電気光学装置１００は、画像表示領域４の全画面を表示領域とする
全画面表示モードと、前記全画面における一部の領域を表示領域とし、他の領域を非表示
領域とする部分表示モードとを選択可能となっている。部分表示モードでは、例えば図１
（ｂ）に示すように、縦方向（ｙ方向）の上端から８０行目から１２０行目の画素の領域
のみを表示領域として画像（時刻や電池残量など）を表示し、その他の領域である非表示
領域には、画像を表示しない。すなわち、非表示領域は、ノーマルーホワイトの場合は白
が表示され、ノーマリーブラックの場合は黒が表示される。
【００１９】
図２は電気光学装置１００の概略構成を示す説明図である。
この図２に示すように、電気光学装置１００のＴＦＴアレイ基板２の画像表示領域４内
には、複数本の走査線３３と複数本のデータ線３４とが交差するように配線されており、
走査線３３とデータ線３４との各交差部分に対応して画素電極３５がマトリクス状に形成
されている。また、走査線３３とデータ線３４の各交差部分に対応して画素スイッチング
素子である薄膜トランジスタ（Thin Film Transistor；以下ＴＦＴと称する）３６が形成
されている。また、電気光学装置１００の対向基板の画像表示領域４内には、前記画素電
極３５に対向して対向電極４０が形成されている。対向電極４０は、画像表示領域４内の
すべての領域に形成されたいわゆるベタ電極である。
【００２０】
ＴＦＴ３６のソースにはデータ線３４が電気的に接続されており、ＴＦＴ３６のドレイ
ンに画素電極３５が電気的に接続されている。また、ＴＦＴ３６のゲートには走査線３３
が電気的に接続されている。ＴＦＴ３６は走査線３３を介して供給される走査信号によっ
てオン状態となり、これにより、データ線３４に供給される電圧信号である画像データが
画素電極３５に供給される。また、対向電極４０には、対向電極電位Ｖｃｏｍが供給され
る。そして、このＴＦＴアレイ基板上に形成された画素電極３５と、対向電極４０との間
の電圧が液晶に印加される。液晶は、印加された電圧に応じて配向を変化させ、これによ
り、液晶を透過する光が変調される。すなわち、対向電極電位Ｖｃｏｍを基準として、階
調に応じた電位を画素電極３５に供給することで画像が表示される。
【００２１】
本実施形態の電気光学装置１００は、カラー表示が可能な液晶装置であって、画像表示
領域４には、図示しないカラーフィルタが設けられている。これらのカラーフィルタは、
各画素に対応して原色の着色が施された着色領域を有する。
本実施形態においては、パネルの輝度アップを目的として、画像表示領域４に設けられ
ているカラーフィルタは、Ｒ（赤系）、Ｇ（緑系）、Ｂ（青系）、Ｗ（白系）の４色の着
色領域を有するものとし、４色の着色領域にそれぞれ対応した４つのサブ画素３７Ｒ、３
７Ｇ、３７Ｂ、３７Ｗによって１つの画素３７が構成されるものとする。この図２に示す
ように、行方向に４色用の各サブ画素３７Ｒ、３７Ｇ、３７Ｂ、３７Ｗが順に配置され、
列方向には同じ色のためのサブ画素が配置されるストライプ型の画素配置となっている。
【００２２】
また、電気光学装置１００には、略矩形状の画像表示領域４の外側に、走査線駆動回路
３９及びデータ線駆動回路３８が配設されている。走査線駆動回路３９及びデータ線駆動
回路３８は、半導体チップにより構成されており、ＴＦＴアレイ基板２上に実装されてい
る。
走査線駆動回路３９は、走査信号Ｇ１、Ｇ２、Ｇ３、…、Ｇ２４０を、それぞれ１行目
、２行目、３行目、…、２４０行目の走査線３３に供給するものである。詳細には、走査
線駆動回路３９は、２４０本の走査線３３を水平走査期間毎に順次１本ずつ選択するとと
もに、選択した走査線３３には選択電圧を、他の走査線３３には非選択電圧を、それぞれ
供給する動作を、垂直走査期間（１フレーム期間）毎に繰り返すものである。
【００２３】
データ線駆動回路３８は、走査線駆動回路３９により選択された走査線３３に接続され
た画素３７に対し、その表示内容（階調）に応じたデータ信号Ｓ１、Ｓ２、Ｓ３、…を、
それぞれ１列目、２列目、３列目、…のデータ線３４を介して供給することにより、前記
画素３７を駆動するものである。
ここで、データ線駆動回路３８は、後述する駆動回路１から出力される画像データをア
ナログ画像信号に変換するＤＡＣと、ＤＡＣによって得られたアナログ画像信号を増幅す
る増幅回路と、１水平走査期間（１Ｈ期間）において、所定本数（本実施形態では、ＲＧ
ＢＷに対応する４本）のデータ線３４を順次に選択することにより、アナログ画像信号（
データ信号）を前記所定本数のデータ線に時分割して供給する選択回路としてのスイッチ
ＳＷとを備えている。
【００２４】
図３は、データ線駆動回路３８による各画素の駆動方式を説明するための図である。こ
の図３において、（ａ）はスイッチＳＷの概略図、（ｂ）は１水平走査期間（１Ｈ期間）
における各画像データのタイミングチャートである。
図３（ａ）のスイッチＳＷは、ＲＧＢＷの順番でそれぞれ対応するデータ線３４を選択
するように切り換わり、図３（ｂ）に示すように、１Ｈ期間において、対応するデータ線
３４にＲＧＢＷの順番で画像信号が時分割で供給される。ここで、図３（ａ）におけるス
イッチＳＷの切り換えタイミングは、後述する駆動回路１のセレクトタイミング制御回路
１９から出力される各画像信号の選択信号（Ｒ＿ＳＥＬ，Ｇ＿ＳＥＬ，Ｂ＿ＳＥＬ，Ｗ＿
ＳＥＬ）と同期するようになっている。
【００２５】
走査線駆動回路３９及びデータ線駆動回路３８は、それぞれ信号線７６及び７２を介し
て、駆動回路１に電気的に接続されている。なお、走査線駆動回路３９及びデータ線駆動
回路３８は、ＴＦＴアレイ基板２上に半導体製造工程により形成されるものであってもよ
い。
ＴＦＴアレイ基板２上であって走査線駆動回路３９と画像表示領域４を挟んで対向する
側にはイコライズ回路５０が形成されている。イコライズ回路５０は、対向電極電位Ｖｃ
ｏｍを、イコライズスイッチ５１を介してデータ線３４に供給する回路である。
【００２６】
イコライズスイッチ５１は、イコライズ信号ＣＰにより開閉するスイッチ回路であり、
イコライズ信号ＣＰが供給されているオン状態の期間だけ、イコライズスイッチ５１がオ
ン状態となってデータ線３４に対向電極電位Ｖｃｏｍが供給される。言い換えれば、イコ
ライズ信号ＣＰが供給されている期間において、データ線３４は対向電極４０と短絡され
、両者の電位は等しくなる。
【００２７】
このイコライズ信号ＣＰは、駆動回路１から所定のタイミングで出力されるものである
。本実施形態では、後述するように、周期的に極性反転させた画像信号を各画素に対して
供給することで当該画素を駆動するように構成されており、イコライズ信号ＣＰは、前記
極性反転する直前のブランキング期間中に駆動回路１から出力されるようになっている。
図４は、駆動回路１の概略構成を示すブロック図である。
【００２８】
この駆動回路１は、外部装置であるＬＣＤコントローラ１１からの画像信号と各種コマ
ンド信号を受信する。駆動回路１は、インターフェースコントロール回路（以下、Ｉ／Ｆ
コントロール回路という）１２と、コマンド制御回路１３と、画像処理回路１４と、セレ
クタ回路１５と、ラッチ回路１６と、ガンマ（γ）補正回路（以下、ガンマ（γ）回路と
いう）１７と、増幅器１８と、セレクトタイミング制御回路１９と、信号選択回路２０と
を含んで構成される。
【００２９】
Ｉ／Ｆコントロール回路１２には、ＬＣＤコントローラ１１からの画像信号等が入力さ
れる。Ｉ／Ｆコントロール回路１２は、入力された画像信号等を所定の単位、例えば８ビ
ット毎にコマンド制御回路１３へ出力する。
コマンド制御回路１３は、入力された信号が、コマンド信号であるか画像信号であるか
に応じて、画像処理回路１４とセレクタ回路１５への画像信号と制御信号を出力する。画
像信号は、所定の単位で所定のタイミングで画像処理回路１４へ出力される。例えば、コ
マンド制御回路１３は、２４ビットの単位で画像信号を、１クロックＣＬＫ毎に画像処理
回路１４へ出力する。
【００３０】
また、コマンド制御回路１３は、表示モード、すなわち部分表示モードか全画面表示モ
ードかに応じて、画像処理回路１４へクロック信号ＣＬＫを供給、あるいは画像処理回路
１４へのクロック信号ＣＬＫの供給を停止する。具体的には、コマンド制御回路１３は、
表示モードが全画面表示モードのときには、クロック信号ＣＬＫを画像処理回路１４へ供
給し、部分表示モードのときには、画像処理回路１４へのクロック信号ＣＬＫの供給を停
止する。なお、表示モードを示す信号ＭＯＤＥは、コマンド制御回路１３へ入力される。
【００３１】
画像処理回路１４は、３色、すなわちＲＧＢ（赤系、緑系、青系）の３つの画像信号（
第１の色画像信号に相当）を、先に述べたＲＧＢＷの４色の画像信号（第２の色画像信号
に相当）に変換する色変換回路を含む。後述するように、部分表示モード時には、クロッ
ク信号ＣＬＫは、画像処理回路１４へ入力されないので、画像処理回路１４は駆動動作を
停止する。
【００３２】
セレクタ回路１５には、コマンド制御回路１３から出力された画像信号と画像処理回路
１４から出力された画像信号とが入力される。そして、セレクタ回路１５は、コマンド制
御回路１３からの選択信号ＳＥＬに基づいて、コマンド制御回路１３から出力された画像
信号と画像処理回路１４から出力された画像信号のいずれかを選択して出力する。
また、セレクタ回路１５は、ＲＡＭ等のラッチ回路１６へ所定の単位で選択した画像信
号を出力する。ラッチ回路１６にストアされた画像信号は、ガンマ回路１７へ出力される
。
【００３３】
なお、セレクタ回路１５は、部分表示モード時は、ラッチ回路１６における、色信号の
１つである白（Ｗ）の画像信号には、ダミーデータを書き込む。コマンド制御回路１３と
セレクタ回路１５が、全画面表示モードの場合には、画像処理回路１４によってＲＧＢＷ
の４色の画像信号に変換された全画面表示用画像信号を出力し、部分表示モードの場合に
は、画像処理回路１４の駆動を停止してＲＧＢの３色の画像信号である部分表示用画像信
号を出力するように制御する制御回路を構成する。
【００３４】
ガンマ回路１７は、ガンマ補正のための回路であり、入力された画像信号にガンマ補正
を施して、ガンマ補正された画像信号を増幅器１８へ供給する。
増幅器１８は、画像信号を所定の増幅率で増幅するための増幅回路であり、ガンマ回路
１７からの画像信号を所定の増幅率で増幅して信号選択回路２０へ供給する。増幅器１８
の増幅率は、後述するようにコマンド制御回路１３から供給される増幅率制御信号ＡＤＪ
）によって決定される。
【００３５】
セレクトタイミング制御回路１９は、コマンド制御回路１３からの選択制御信号ＳＥＬ
Ｌに基づいて、信号選択回路２０へ入力される画像信号を選択して出力するように信号選
択回路２０を制御するために、各画像信号の選択信号を信号選択回路２０へ出力する回路
である。
信号選択回路２０は、入力される複数の画像信号を選択するスイッチ回路を含む回路で
ある。信号選択回路２０は、セレクトタイミング制御回路１９からの選択信号に基づいて
、所定のタイミングで入力される全画面表示用画像信号と部分表示用画像信号とを、表示
モードに応じて、所定のタイミングで所定の時間だけ選択して、それぞれ対応するＲ（赤
）用、Ｇ（緑）用、Ｂ（青）用及びＷ（白）用のデータ線に出力する。
【００３６】
そのために、信号選択回路２０は、Ｒ用、Ｇ用、Ｂ用及びＷ用の４つのデータ線に対応
する、４つのスイッチ回路ＳＷＲ、ＳＷＧ、ＳＷＢ、ＳＷＷを含む。セレクトタイミング
制御回路１９は、４つのスイッチ回路ＳＷＲ、ＳＷＧ、ＳＷＢ、ＳＷＷのオン、オフを制
御する選択信号Ｒ＿ＳＥＬ、Ｇ＿ＳＥＬ、Ｂ＿ＳＥＬ、Ｗ＿ＳＥＬを出力する。
本実施形態では、全画面表示モード時には、セレクトタイミング制御回路１９は、１Ｈ
期間において、Ｒ用のスイッチ回路ＳＷＲ、Ｇ用のスイッチ回路ＳＷＧ、Ｂ用のスイッチ
回路ＳＷＢ、Ｗ用のスイッチ回路ＳＷＷを順番にオン状態として、４色の画像信号を所定
時間ずつ順番に出力するような選択信号を出力する。なお、このとき、Ｗ用のスイッチ回
路ＳＷＷをオン状態とする期間は、ＲＧＢ用の各スイッチ回路をオン状態とする期間より
短く設定することもできる。
【００３７】
また、部分表示モード時には、セレクトタイミング制御回路１９は、１Ｈ期間において
、Ｒ用のスイッチ回路ＳＷＲ、Ｇ用のスイッチ回路ＳＷＧ、Ｂ用のスイッチ回路ＳＷＢを
順番にオン状態として、３色の画像信号を所定時間ずつ順番に出力するような選択信号を
出力する。
コマンド制御回路１３は、上述したように、画像処理回路１４及びセレクタ回路１５へ
画像信号等を出力するのに加えて、増幅器１８への増幅率制御信号ＡＤＪとセレクトタイ
ミング制御回路１９への選択制御信号ＳＥＬＬを出力する。
【００３８】
増幅器１８は、増幅率制御信号ＡＤＪに基づいて、全画面表示モード時と部分表示モー
ド時において異なる増幅率で、入力された画像データを増幅する。より具体的には、コマ
ンド制御回路１３は、表示モードが部分表示モード時であるには、全画面表示モード時よ
りも低い増幅率で、部分表示用画像信号を増幅するように、増幅率制御信号ＡＤＪを増幅
器１８へ供給する。これにより、部分表示モードにおける、増幅器１８による消費電力を
抑えることができる。
【００３９】
以上の構成を有する、本実施形態の電気光学装置１００の動作を、以下に説明する。
図５は、全画面表示モードにおける電気光学装置１００の動作を説明するタイミングチ
ャート、図６は、部分表示モードにおける電気光学装置１００の動作を説明するタイミン
グチャートである。
図５及び図６において、ＧＡＴＥ１、ＧＡＴＥ２、…、ＧＡＴＥ２４０は、それぞれ１
行目、２行目、…、２４０行目の走査線３３に供給される走査信号を示している。また、
ＤＡＴＡのＲ、Ｇ、Ｂ及びＷは、各サブ画素３７Ｒ、３７Ｇ、３７Ｂ及び３７Ｗのそれぞ
れに接続されたデータ線３４に供給される信号を示している。また、ＣＰは、イコライズ
信号を示している。
【００４０】
まず、全画面表示モードにおける動作について説明する。
全画面表示モードの場合、全画面表示モードを示すモード信号ＭＯＤＥがコマンド制御
回路１３に入力されるため、コマンド制御回路１３は、画像処理回路１４にクロック信号
ＣＬＫを供給する。したがって、画像処理回路１４が駆動されて、ＬＣＤコントローラ１
１から入力される第１の色画像信号であるＲＧＢの３色の画像信号を、画像処理回路１４
において、第２の色画像信号であるＲＧＢＷの４色の画像信号に変換する。そして、セレ
クトタイミング制御回路１９から出力される選択信号Ｒ＿ＳＥＬ，Ｇ＿ＳＥＬ，Ｂ＿ＳＥ
Ｌ，Ｗ＿ＳＥＬに応じて、信号選択回路２０の４つのスイッチ回路ＳＷＲ，ＳＷＧ，ＳＷ
Ｂ，ＳＷＷがオン／オフ制御され、駆動回路１は、データ線駆動回路３８に対して、所定
のタイミングで所定の時間ずつ４色の画像信号を出力する。
【００４１】
データ線駆動回路３８は、駆動回路１から出力された４色の画像信号を、データ信号と
して各サブ画素３７Ｒ、３７Ｇ、３７Ｂ及び３７Ｗに接続されたデータ線３４に順次供給
する。
全画面表示モードでは、１フレーム期間中において、データ線３４へのデータ信号の供
給は連続的に行われるものであり、これにより、表示領域の全ての画素にデータ信号が供
給され、全画面表示が行われる。
【００４２】
そして、このとき、１水平ラインごとに交互に正極性書込または負極性書込を行うライ
ン反転駆動方式によって各画素が駆動される。そして、正極性書込と負極性書込とが切り
換わる直前の水平ブランキング期間において、イコライズ信号ＣＰが供給されるようにな
っている。
つまり、図５の時刻ｔ１から時刻ｔ２までの水平ブランキング期間中は、イコライズ信
号ＣＰが供給されて、データ線３４に対向電極電位Ｖｃｏｍが供給される。これにより、
データ線３４と対向電極４０とが等電位とされる、言い換えるとデータ線３４と対向電極
４０とが短絡される。
【００４３】
続いて、時刻ｔ２では、スイッチＳＷによりＲ（赤系）に対応するデータ線３４が選択
されるとともに、選択されたデータ線３４に対して駆動回路１から出力されたＲ（赤系）
のデータ信号を供給する。その後、スイッチＳＷを切り替えて、Ｇ→Ｂ→Ｗの順にそれぞ
れ対応するデータ線３４を選択するとともに、選択したデータ線３４に対してそれぞれＧ
ＢＷ用のデータ信号を順番に供給する。このように、時刻ｔ１から時刻ｔ３までの１Ｈ期
間において、ＲＧＢＷのデータ信号が時分割で順次出力されるようになっている。
【００４４】
この時刻ｔ１から時刻ｔ３までの間は、例えば、正極性書込を行うものとする。すなわ
ち、走査線駆動回路３９により１行目の走査線３３に走査信号を供給して、この走査線３
３に係る１水平ラインのＴＦＴ３６を全てオン状態とする。そして、データ線駆動回路３
８により、共通電極の電圧より高い電圧でデータ線３４に画像信号を供給し、画素電極３
５に画像データを書き込む。
【００４５】
次に、時刻ｔ３から時刻ｔ５までの間、負極性書込を行う。すなわち、走査線駆動回路
３９により２行目の走査線３３に走査信号を供給して、この走査線３３に係る１水平ライ
ンのＴＦＴを全てオン状態とする。そして、データ線駆動回路３８により、共通電極の電
圧より低い電圧でデータ線に画像信号を供給し、画素電極に画像データを書き込む。
このとき、時刻ｔ３から時刻ｔ４までの水平ブランキング期間中は、イコライズ信号Ｃ
Ｐが供給されて、データ線３４に対向電極電位Ｖｃｏｍが供給される。これにより、デー
タ線３４と対向電極４０とが等電位とされる。
【００４６】
以上のように、ライン反転駆動方式により、１水平ラインごとに交互に正極性書込およ
び負極性書込を繰り返して、１つのフレームを生成する（時刻ｔ６）。
このように、全画面表示モード時においては、４色の着色領域を有するカラーフィルタ
を用いて、輝度の高い画像を表示することができる。また、１水平走査期間において、Ｒ
ＧＢＷの画像信号を時分割で出力するような回路構成とするので、消費電力を低減するこ
とができる。
【００４７】
ところで、データ線の駆動方式としては、図７に示すように、ソースライン数と同数の
ＤＡＣ（デジタル／アナログ変換器）及び増幅回路を有し、１水平走査期間において、各
色（ここでは、ＲＧＢ）の画像データを同時に出力するというものが知られている。しか
しながら、この場合、消費電力が増加すると共に、チップ面積も増大する。
これに対して、本実施形態では、前述した図３に示すように、ＤＡＣ及び増幅回路の数
を減少させることができ、消費電力やチップ面積を小さくすることができる。
【００４８】
このとき、１水平走査期間においてＲＧＢＷの画像信号を時分割で出力するため、前述
した図７に示す駆動方式と比較して各画像信号の書込み時間は短くなるが、この書込み時
間の減少分は、データ線と対向電極とを短絡させることによる補助書込みを行うことで補
うことができる。
例えば、図５の時刻ｔ３で正極性書込から負極性書込へ切り換わる場合には、極性が反
転する直前の時刻ｔ４までの水平ブランキング期間において、データ線３４の電位を、プ
ラス側の電位とマイナス側の電位との略中間電位である対向電極電位まで引き下げておく
（補助書込みを行う）ため、プラス側の電位からマイナスの電位へ一気に引き下げる必要
がなくなり、短い書込み時間でも画像データの書込みを十分に行うことができる。
【００４９】
次に、パーシャル表示モードにおける動作について説明する。
このパーシャル表示モードでは、全画面表示モードと同様に、走査線駆動回路３９によ
り、１行目、２行目、…、２４０行目の走査線３３に、順次走査信号が供給される。この
とき、フレーム反転駆動方式により、１フレームごとに交互に正極性書込及び負極性書込
を繰り返す。
【００５０】
先ず、図６の時刻ｔ１１から時刻ｔ１２までの垂直ブランキング期間において、イコラ
イズ信号ＣＰが供給されて、データ線３４に対向電極電位Ｖｃｏｍが供給される。これに
より、データ線３４と対向電極４０とが短絡される。
続いて、時刻ｔ１２からは、走査線駆動回路３９が１行目、２行目、…、２４０行目の
走査線３３に走査信号を順番に供給していく。
【００５１】
ここで、前述した図１（ｂ）に示すように、縦方向（Ｘ方向）の上端から８０行目から
１２０行目の画素の領域のみを表示領域とする場合、１行目から７９行目、及び１２１行
目から２４０行目は非表示領域となる。
したがって、走査線駆動回路３９が１行目から７９行目の走査線３３に走査信号を供給
する時刻ｔ１２から時刻ｔ１３までの期間は、各データ線３４にはデータ信号は供給され
ない。
【００５２】
そして、時刻ｔ１３では、走査線駆動回路３９が表示領域である８０行目の走査線３３
に走査信号を供給する。
このパーシャル表示モードでは、コマンド制御回路１３は、画像処理回路１４へのクロ
ック信号ＣＬＫの供給を停止するため、画像処理回路１４は駆動されない。このため、駆
動回路１は、ＬＣＤコントローラ１１から入力されるＲＧＢの３色の画像信号に対して、
γ補正と増幅のみを行い、ＲＧＢの３色の画像信号を出力する。
【００５３】
すなわち、駆動装置１から出力されたＲＧＢの３色の画像信号は、８０行目から１２０
行目の走査線３３が選択されている期間において、データ線駆動回路３８に入力され、デ
ータ信号として各サブ画素３７Ｒ、３７Ｇ及び３７Ｂに接続されたデータ線３４に順次供
給される。このとき、サブ画素３７Ｗが接続されたデータ線３４にはデータ信号は供給さ
れない。
【００５４】
これにより、画像表示領域４の一部分である、８０行目から１２０行目の画素にのみデ
ータ信号が供給され、部分表示（パーシャル表示）が行われる。
すなわち、図６の時刻ｔ１３で、８０行目の走査線３３が選択されると、水平ブランキ
ング期間を経て、Ｒ用のデータ線３４に対して駆動回路１から出力されたＲ（赤系）のデ
ータ信号を供給する。その後、スイッチＳＷを切り替えて、Ｇ→Ｂの順にそれぞれ対応す
るデータ線３４を選択するとともに、選択したデータ線３４に対してＧ（緑系）、Ｂ（青
系）のデータ信号を順番に供給する。このように、時刻ｔ１３から時刻ｔ１４までの１Ｈ
期間において、ＲＧＢのデータ信号を順番に出力する。
【００５５】
このとき、３つの画像信号のそれぞれを選択する期間、即ち各画素電極への書込み時間
は、全画面表示モード時よりも長く確保することができるため、部分表示モード時の増幅
率は、全画面表示モード時の増幅率よりも低く設定することができる。その結果、増幅器
１８における消費電力が少なくて済むことになる。
その後、時刻ｔ１５で、表示領域である１２０行目の走査線３３の選択が終了すると、
時刻ｔ１６まで非表示領域である１２１行目から２４０行目の走査線３３が選択されるた
め、この時刻ｔ１５から時刻ｔ１６においては各データ線３４にデータ信号は供給されな
い。
【００５６】
以上のように、部分表示モード時においては、従来のように表示領域の画素にのみデー
タ信号を供給するだけではなく、併せて、４つのサブ画素３７Ｒ、３７Ｇ、３７Ｂ及び３
７Ｗのうちの、３７Ｒ、３７Ｇ及び３７Ｂの３つのサブ画素にのみデータ信号を供給する
ことで、低消費電力化が図れる。さらに、垂直ブランキング期間にデータ線３４と対向電
極４０とを短絡させることにより、効果的に補助書込みを行うことができる。
【００５７】
なお、この部分表示モードにおいて、サブ画素３７Ｗに接続されるデータ線３４につい
ては、垂直ブランキング期間後にフローティング状態（対向電極との接続と切り離した状
態）としてもよい。
このように、第１の実施形態では、カラーフィルタの着色領域の色よりも少ない色の情
報を有する第１の色画像信号が入力され、該第１の色画像信号を前記カラーフィルタに対
応した第２の色画像信号に変換して出力する画像処理回路を備え、全画面表示モードにお
いて、前記第２の色画像信号を前記各画素に対して供給し、部分表示モードにおいて、前
記画像処理回路の駆動を停止して前記第１の色画像信号を前記各画素に対して供給するの
で、全画面表示モードでは、４色以上の着色領域を有するカラーフィルタを用いて、輝度
の高い画像を表示することができ、部分表示モードでは、表示領域の画素のみを駆動する
と共に、画像処理回路の駆動を停止することで、低消費電力化を実現することができる。
【００５８】
また、画素電極に印加する電圧の極性が反転する直前のブランキング期間中に、データ
線と対向電極とを短絡させるので、データ線と対向電極とを等電位として、前記画素電極
に対する補助書込みを行うことができる。
すなわち、全画面表示モードでは、ライン反転駆動方式で各画素を駆動し、正極性書込
と負極性書込とが切り替わる１水平走査ごとの水平ブランキング期間中にデータ線と対向
電極とを短絡して前記データ線と前記対向電極とを等電位とし、部分表示モードでは、フ
レーム反転駆動方式で各画素を駆動し、正極性書込と負極性書込とが切り替わる１フレー
ムごとの垂直ブランキング期間中にデータ線と対向電極とを短絡して前記データ線と前記
対向電極とを等電位とする。したがって、極性が反転する前にデータ線と対向電極とを等
電位として補助書込みを行うことができ、低消費電力化を実現することができる。
【００５９】
さらに、１走査期間において、所定本数のデータ線を順次に選択することにより、画像
信号を前記所定本数のデータ線に時分割して供給する選択回路を備えることで、駆動回路
に設けるＤＡＣ（デジタル／アナログ変換器）や増幅回路の数を減らすことができ、消費
電力や回路規模を小さくすることができる。
また、前記選択回路は、全画面表示モードにおいて、画像処理回路で変換された第２の
色画像信号のうち、第１の色画像信号に対応するデータ線を先に選択するので、全画面表
示モードにおいて、色再現性を向上させることができる。
【００６０】
さらにまた、第１の色画像信号として、赤系、緑系、青系の３色画像信号を適用し、第
２の色画像信号として、赤系、緑系、青系、白系の４色画像信号を適用するので、確実に
パネルの輝度を向上させることができる。
なお、上記実施形態においては、パーシャル表示モードにおいて、垂直ブランキング期
間にのみイコライズ信号ＣＰをＯＮ状態として、データ線３４と対向電極４０とを短絡さ
せる場合について説明したが、非表示領域の画素の選択期間（図６の時刻ｔ１２から時刻
ｔ１３及び時刻ｔ１５から時刻ｔ１６の期間）においてもデータ線３４と対向電極４０と
を短絡させることもできる。これにより、非表示領域のデータ線３４と対向電極４０とを
等電位とすることができ、より低消費電力化を図ることができる。さらに、パーシャル表
示モードにおいては、表示領域の水平ブランキング期間においても、データ線３４と対応
電極４０とを短絡させることもできる。
【００６１】
また、上記実施形態においては、ＲＧＢＷの４色のカラーフィルタを採用する場合につ
いて説明したが、ＲＧＢＣ（シアン）等を適用することもできる。また、メイン表示パネ
ルに使用されるカラーフィルタの着色領域を５色以上とすることもできる。
さらに、上記実施形態においては、本発明を、液晶を用いた電気光学装置に適用する場
合について説明したが、液晶以外の電気光学物質を用いた電気光学装置に適用することも
できる。例えば、有機ＥＬや発光ポリマーなどのＯＬＥＤ素子を電気光学物質として用い
た表示パネルや、着色された液体とこの液体に分散された白色の粒子とを含むマイクロカ
プセルを電気光学物質として用いた電気泳動表示パネル、極性が相違する領域ごとに異な
る色に塗り分けられたツイストボールを電気光学物質として用いたツイストボールディス
プレイパネル、黒色トナーを電気光学物質として用いたトナーディスプレイパネル、ヘリ
ウムやネオン等の高圧ガスを電気光学物質として用いたプラズマディスプレイパネルなど
、各種の電気光学装置に対して本発明を適用することができる。
【００６２】
次に、上述した電気光学装置１００を適用した電子機器について説明する。
図８は、電気光学装置１００を適用した携帯電話１２０の構成を示す斜視図である。
この図８に示すように、携帯電話１２０は、複数の操作ボタン１２１のほか、受話口１
２２、送話口１２３とともに、液晶パネル１０を備えるものである。ここで、液晶パネル
１０は、上述した表示パネルである。なお、電気光学装置１００のうち、液晶パネル１０
以外の構成要素については電話器に内蔵されるので、外観としては現れない。
【００６３】
また、電気光学装置１００が適用される電子機器としては、図８に示される携帯電話の
他にも、デジタルスチルカメラや、ノートパソコン、液晶テレビ、ビューファインダ型（
またはモニタ直視型）のビデオレコーダ、カーナビゲーション装置、ページャ、電子手帳
、電卓、ワードプロセッサ、ワークステーション、テレビ電話、ＰＯＳ端末、タッチパネ
ルを備えた機器等などが挙げられる。そして、これらの各種電子機器の表示装置として、
上述した電気光学装置１００が適用可能であることは言うまでもない。
【図面の簡単な説明】
【００６４】
【図１】本発明における実施形態の電気光学装置１００の斜視図である。
【図２】電気光学装置の概略構成を示す説明図である。
【図３】データ線駆動回路によるデータ線の駆動方式を説明するための図である。
【図４】駆動回路の概略構成を示すブロック図である。
【図５】全面表示モードにおけるタイミングチャートである。
【図６】パーシャル表示モードにおけるタイミングチャートである。
【図７】従来のデータ線の駆動方式を説明するための図である。
【図８】電気光学装置１００を適用した携帯電話１２０の構成を示す斜視図である。
【符号の説明】
【００６５】
１…駆動回路、３３…走査線、３４…データ線、３５…画素電極、３６…ＴＦＴ、３７
…画素、３８…データ線駆動回路、３９…走査線駆動回路、５０…イコライズ回路、５１
…イコライズスイッチ、１００…電気光学装置、１２０…携帯電話
【図１】
2008129230.tif 000003
【図２】
2008129230.tif 000004
【図３】
2008129230.tif 000005
【図４】
2008129230.tif 000006
【図５】
2008129230.tif 000007
【図６】
2008129230.tif 000008
【図７】
2008129230.tif 000009
【図８】
2008129230.tif 000010